(57)【要約】【課題】接着剤ＡＤと半田ＳＤとの接触を抑制できるレンズ駆動装置１０１を提供すること。【解決手段】レンズ駆動装置１０１は、保持部７２Ａが設けられたレンズ保持部材２を有する。コイル３の延在部３３Ａの一部は、保持部７２Ａに巻かれて巻き付け部３３ｍを構成している。巻き付け部３３ｍと下側板ばね２６Ａの内側部分２６ｉとは半田付けされる。下側板ばね２６Ａの内側部分２６ｉには、第１四角孔２６ｊ１と第１丸孔２６ｋ１とが形成されている。第１丸孔２６ｋ１は、内側部分２６ｉの半田付け部２６ｓと第１四角孔２６ｊ１との間に配置されている。レンズ保持部材２には、第１丸孔２６ｋ１に挿通される第１突起部２ｐ１が形成されている。内側部分２６ｉとレンズ保持部材２とは、第１四角孔２６ｊ１と第１四角孔２６ｊ１から露出するレンズ保持部材２とに塗布された接着剤ＡＤによって接着固定されている。【選択図】図１４
2020154254.tif 000002
【特許請求の範囲】
【請求項１】
支持部材と、
レンズ体を保持可能なレンズ保持部材と、
前記レンズ保持部材に保持されたコイルと、
前記コイルに対向する磁石と、
前記支持部材と前記レンズ保持部材とを繋ぐように配置され、前記レンズ保持部材を光軸方向へ移動可能に支持する板ばねと、を備えるレンズ駆動装置であって、
前記コイルは、前記レンズ保持部材の外側に配置されるコイル本体部と、前記コイル本体部に繋がる延在部とを有し、
前記板ばねは、前記レンズ保持部材に固定される可動側支持部と、前記支持部材に固定される固定側支持部と、前記可動側支持部と前記固定側支持部との間に設けられた弾性腕部とを有し、
前記レンズ保持部材には、突出部が設けられ、
前記コイルの前記延在部の一部は、前記突出部に巻かれて巻き付け部を構成しており、
前記巻き付け部と前記可動側支持部の半田付け部とは、半田付けされ、
前記板ばねの前記可動側支持部には、第１貫通部及び第２貫通部が形成され、
前記第２貫通部は、前記可動側支持部の前記半田付け部と前記第１貫通部との間に配置され、
前記レンズ保持部材には、前記第２貫通部に挿通される突起部が形成されており、
前記第１貫通部と該第１貫通部から露出する前記レンズ保持部材とに塗布された接着剤によって、前記可動側支持部と前記レンズ保持部材とが固定されている、
ことを特徴とするレンズ駆動装置。
【請求項２】
前記第１貫通部は、非円形状の孔である、
請求項１に記載のレンズ駆動装置。
【請求項３】
前記第１貫通部は、略四角形状の孔である。
請求項２に記載のレンズ駆動装置。
【請求項４】
前記接着剤は、前記第２貫通部及び前記突起部に付着している。
請求項１乃至３の何れかに記載のレンズ駆動装置。
【請求項５】
前記可動側支持部は、前記第１貫通部と前記第２貫通部と前記半田付け部とが設けられた接続板部を有し、
前記接続板部は、前記半田付け部に近い側の縁部と前記第２貫通部との間の幅寸法が、遠い側の縁部と前記第２貫通部との間の幅寸法よりも小さい、
請求項１乃至４の何れかに記載のレンズ駆動装置。
【請求項６】
支持部材と、
レンズ体を保持可能なレンズ保持部材と、
前記レンズ保持部材に保持されたコイルと、
前記コイルに対向する磁石と、
前記支持部材と前記レンズ保持部材とを繋ぐように配置され、前記レンズ保持部材を光軸方向へ移動可能に支持する板ばねとを備え、
前記コイルは、前記レンズ保持部材の外側に配置されるコイル本体部と、前記コイル本体部に繋がる延在部とを有し、
前記板ばねは、前記レンズ保持部材に固定される可動側支持部と、前記支持部材に固定される固定側支持部と、前記可動側支持部と前記固定側支持部との間に設けられた弾性腕部とを有し、
前記可動側支持部は、半田付け部と、第１貫通部と、前記半田付け部と前記第１貫通部との間に位置する第２貫通部とを有し、
前記レンズ保持部材には前記第２貫通部を貫通する突起部が形成されており、
前記レンズ保持部材には、突出部が設けられ、
前記コイルの前記延在部の一部は、前記突出部に巻かれて巻き付け部を構成しており、
前記巻き付け部と前記可動側支持部の前記半田付け部とは、半田付けされる、
レンズ駆動装置の製造方法であって、
前記第１貫通部から前記レンズ保持部材が露出するように、且つ、前記突起部が前記第２貫通部を貫通するように、前記板ばねが前記レンズ保持部材に重ねられる重ね工程と、
前記第１貫通部と当該第１貫通部から露出する前記レンズ保持部材とに接着剤が塗布され、前記可動側支持部と前記レンズ保持部材とが接着固定される固定工程と、
前記巻き付け部と前記半田付け部とが半田付けされる半田付け工程と、
を有することを特徴とするレンズ駆動装置の製造方法。
【請求項７】
前記固定工程において、前記第２貫通部と前記突起部とに、前記接着剤を付着させる工程を含む、
請求項６に記載のレンズ駆動装置の製造方法。
【請求項８】
前記可動側支持部は、前記第１貫通部と前記第２貫通部と前記半田付け部とが設けられた接続板部を有し、
前記接続板部は、前記半田付け部に近い側の縁部と前記第２貫通部との間の幅寸法が、遠い側の縁部と前記第２貫通部との間の幅寸法よりも小さい、
請求項６又は７に記載のレンズ駆動装置の製造方法。
【請求項９】
請求項１乃至５の何れかに記載のレンズ駆動装置と、
前記レンズ体と、
前記レンズ体に対向する撮像素子と、を有する、
カメラモジュール。
【発明の詳細な説明】
【技術分野】
【０００１】
本開示は、例えばカメラ付き携帯機器等に搭載されるレンズ駆動装置、レンズ駆動装置を含むカメラモジュール、及び、レンズ駆動装置の製造方法に関する。
【背景技術】
【０００２】
従来、レンズ保持部材としてのレンズキャリアと、レンズ保持部材の外周に配置されるコイルとを含む、レンズ駆動装置としてのレンズ保持装置が知られている（特許文献１参照。）。この装置では、レンズ保持部材は、導電性のスプリング（板ばね）によって光軸方向に移動可能に保持されている。そして、コイルと板ばねとは半田付けによって接続され、レンズ保持部材と板ばねとは接着剤によって接着固定されている。
【先行技術文献】
【特許文献】
【０００３】
【特許文献１】特開２０１４−１７４４０３号公報
【発明の概要】
【発明が解決しようとする課題】
【０００４】
しかしながら、上述のレンズ駆動装置では、レンズ保持部材と板ばねとを接着固定する接着剤が、コイルと板ばねとを接合する半田を含む半田ペーストが塗布される部分に付着してしまうおそれがある。そして、半田ペーストが塗布される部分への接着剤の付着は、コイルと板ばねとの半田付けによる接合が適切に行われるのを妨げてしまうおそれがある。
【０００５】
そこで、レンズ保持部材と板ばねとを接着固定する接着剤と、コイルと板ばねとを接合する半田等の接合材との接触を抑制できるレンズ駆動装置を提供することが望ましい。
【課題を解決するための手段】
【０００６】
本発明の実施形態に係るレンズ駆動装置は、支持部材と、レンズ体を保持可能なレンズ保持部材と、前記レンズ保持部材に保持されたコイルと、前記コイルに対向する磁石と、前記支持部材と前記レンズ保持部材とを繋ぐように配置され、前記レンズ保持部材を光軸方向へ移動可能に支持する板ばねと、を備えるレンズ駆動装置であって、前記コイルは、前記レンズ保持部材の外側に配置されるコイル本体部と、前記コイル本体部に繋がる延在部とを有し、前記板ばねは、前記レンズ保持部材に固定される可動側支持部と、前記支持部材に固定される固定側支持部と、前記可動側支持部と前記固定側支持部との間に設けられた弾性腕部とを有し、前記レンズ保持部材には、突出部が設けられ、前記コイルの前記延在部の一部は、前記突出部に巻かれて巻き付け部を構成しており、前記巻き付け部と前記可動側支持部の半田付け部とは、半田付けされ、前記板ばねの前記可動側支持部には、第１貫通部及び第２貫通部が形成され、前記第２貫通部は、前記可動側支持部の前記半田付け部と前記第１貫通部との間に配置され、前記レンズ保持部材には、前記第２貫通部に挿通される突起部が形成されており、前記第１貫通部と該第１貫通部から露出する前記レンズ保持部材とに塗布された接着剤によって、前記可動側支持部と前記レンズ保持部材とが固定されている。
【発明の効果】
【０００７】
上述の手段により、レンズ保持部材と板ばねとを接着固定する接着剤と、コイルと板ばねとを接合する半田等の接合材との接触を抑制できるレンズ駆動装置が提供される。
【図面の簡単な説明】
【０００８】
【図１】レンズ駆動装置の分解斜視図である。
【図２】レンズ駆動装置の上方斜視図及び正面図である。
【図３】レンズ駆動装置の上面図及び底面図である。
【図４】構成要素の一部が取り外された状態にあるレンズ駆動装置の上方斜視図である。
【図５】レンズ保持部材の上方斜視図である。
【図６】レンズ保持部材の下方斜視図である。
【図７】レンズ保持部材の上面図及び底面図である。
【図８】レンズ保持部材の下方斜視図である。
【図９】レンズ保持部材の一部の拡大図である。
【図１０】構成要素の一部が取り外された状態にあるレンズ駆動装置の底面図である。
【図１１】上側板ばね及び下側板ばねの上面図である。
【図１２】レンズ駆動装置における下側板ばねとコイルとの接続構造の一例を説明する図である。
【図１３】レンズ駆動装置のベース部材の上方斜視図である。
【図１４】下側板ばねとコイルとの接続構造の一例を説明する図である。
【図１５】下側板ばねとコイルとの接続構造の別の一例を説明する図である。
【発明を実施するための形態】
【０００９】
以下、本発明の実施形態に係るレンズ駆動装置１０１について図面を参照して説明する。図１は、レンズ駆動装置１０１の分解斜視図である。図２（Ａ）は、レンズ駆動装置１０１の上方斜視図であり、図２（Ｂ）は、Ｙ２側から見たレンズ駆動装置１０１の正面図である。図３（Ａ）は、レンズ駆動装置１０１の上面図であり、図３（Ｂ）は、レンズ駆動装置１０１の底面図である。図４（Ａ）は、ヨーク４が取り外された状態のレンズ駆動装置１０１の上方斜視図である。図４（Ｂ）は、更にスペーサ１が取り外された状態のレンズ駆動装置１０１の上方斜視図である。
【００１０】
レンズ駆動装置１０１は、図１に示すように、レンズ体（図示せず。）を保持可能なレンズ保持部材２と、レンズ保持部材２を光軸方向（Ｚ軸方向）に沿って移動させる駆動機構ＭＫと、レンズ保持部材２を光軸方向に移動可能に支持する板ばね６と、板ばね６が固定される固定側部材ＲＧと、外部との電気的な接続をもたらす金属部材７とを含む。レンズ体は、例えば、少なくとも１枚のレンズを備えた筒状のレンズバレルであり、その中心軸線が光軸方向に沿うように構成されている。光軸方向は、レンズ体に関する光軸ＪＤの方向、及び、光軸ＪＤに平行な方向を含む。
【００１１】
駆動機構ＭＫは、図１に示すように、八角環状に巻かれたコイル３と、矩形箱状の外側ケースを兼ねたヨーク４と、ヨーク４の四隅と対向して配置された４つの磁石５とを含む。本実施形態では、磁石５は、底面が台形である四角柱形状を有する。固定側部材ＲＧは、スペーサ１と、ヨーク４と、金属部材７が埋め込まれたベース部材１８とを含む。板ばね６は、スペーサ１とレンズ保持部材２との間を繋ぐ上側板ばね１６と、レンズ保持部材２とベース部材１８との間を繋ぐ下側板ばね２６と、を含む。下側板ばね２６は、下側板ばね２６Ａ及び下側板ばね２６Ｂを含む。
【００１２】
レンズ駆動装置１０１は、略直方体形状を有し、撮像素子（図示せず。）を実装した基板（図示せず。）の上に取り付けられる。カメラモジュールは、基板と、レンズ駆動装置１０１と、レンズ保持部材２に装着されたレンズ体と、レンズ体に対向するように基板に実装された撮像素子とで構成される。コイル３は、下側板ばね２６Ａ、２６Ｂ、金属部材７及び基板を介して電源に接続される。コイル３に電流が流れると、駆動機構ＭＫは、光軸方向に沿った電磁力を発生させる。
【００１３】
レンズ駆動装置１０１は、この電磁力を利用し、撮像素子のＺ１側（被写体側）で、光軸方向に沿ってレンズ保持部材２を移動させることで自動焦点調節機能を実現する。具体的には、レンズ駆動装置１０１は、撮像素子から離れる方向にレンズ保持部材２を移動させてマクロ撮影を可能にし、撮像素子に近づく方向にレンズ保持部材２を移動させて無限遠撮影を可能にしている。
【００１４】
次に、レンズ保持部材２と駆動機構ＭＫとの関係について説明する。図５（Ａ）は、レンズ保持部材２の上方斜視図であり、図５（Ｂ）は、図５（Ａ）のレンズ保持部材２にコイル３が巻かれた状態を示すレンズ保持部材２の上方斜視図である。図６（Ａ）は、レンズ保持部材２の下方斜視図であり、図６（Ｂ）は、図６（Ａ）のレンズ保持部材２にコイル３が巻かれた状態を示すレンズ保持部材２の下方斜視図である。図７（Ａ）は、レンズ保持部材２の上面図であり、図７（Ｂ）は、レンズ保持部材２の底面図である。図８（Ａ）は、レンズ保持部材２の下方斜視図であり、図８（Ｂ）は、図８（Ａ）に示すレンズ保持部材２にコイル３が巻かれた状態を示すレンズ保持部材２の下方斜視図である。図９（Ａ）は、図８（Ｂ）に示す部分Ｓの拡大図であり、図９（Ｂ）は、図６（Ｂ）に示す部分Ｐの拡大図である。図１０（Ａ）は、金属部材７及びベース部材１８が取り外された状態のレンズ駆動装置１０１の底面図であり、図１０（Ｂ）は、更に下側板ばね２６Ａ、下側板ばね２６Ｂ及びレンズ保持部材２が取り外された状態のレンズ駆動装置１０１の底面図である。
【００１５】
本実施形態では、レンズ保持部材２は、液晶ポリマー（ＬＣＰ）等の合成樹脂を射出して成形することで作製されている。具体的には、レンズ保持部材２は、図５（Ａ）に示すように、光軸方向に沿った貫通孔を有するように形成された筒状部１２と、光軸方向における撮像素子側（Ｚ２側）の端部に形成されたフランジ部（鍔状部）５２とを含む。筒状部１２は、光軸方向における被写体側（Ｚ１側）の端部においては、略円筒状に形成されている。
【００１６】
筒状部１２には、レンズ体が装着されるように、円筒状の内周面にねじ溝が設けられていてもよい。また、筒状部１２には、被写体側の端面に２つの窪み１２ｄｈを有した台座部１２ｄが光軸を挟んで２つ設けられている。台座部１２ｄには、図４（Ｂ）に示すように、上側板ばね１６の内側部分１６ｉが載置される。
【００１７】
筒状部１２の外周面には、図５（Ａ）に示すように、コイル３を内側から支持する外壁部としてのコイル支持部１２ｊが設けられている。本実施形態では、コイル支持部１２ｊは、八角環状のコイル３を支持できるように４つに別れて配置されている。その上で、コイル支持部１２ｊの被写体側には、光軸方向においてフランジ部５２と対向するように径方向外側に突出した庇部１２ｈが４つ形成されている。そして、図５（Ｂ）に示すように、コイル３は、コイル支持部１２ｊに支持され且つ光軸方向において庇部１２ｈとフランジ部５２との間に挟まれるようにしてレンズ保持部材２の外周面に八角環状に巻かれている。
【００１８】
このように、フランジ部５２は、筒状部１２の撮像素子側（Ｚ２側）の端部における外周面から径方向外側に突出している。そして、フランジ部５２の被写体側にはコイル３が配置されている。フランジ部５２には、図６（Ｂ）に示すように、レンズ体の光軸ＪＤを挟んで切欠部５２ｋが２つ形成されている。そして、切欠部５２ｋにはコイル３を構成する線材の一部である延在部３３が通されている。具体的には、切欠部５２ｋの一方にはコイル３の巻き始め側の線材である延在部３３Ａが通され、切欠部５２ｋの他方にはコイル３の巻き終わり側の線材である延在部３３Ｂが通されている。
【００１９】
フランジ部５２は、図６（Ａ）に示すように、撮像素子側（Ｚ２側）の面から下方（Ｚ２方向）に突出した、角形凸状の突出部としての２つの保持部７２と、丸形凸状の４つの突起部２ｐと、を含む。なお、突起部２ｐは、角形凸状であってもよい。
【００２０】
保持部７２は、図６（Ｂ）に示すように、コイル３（巻回部１３）の巻き始め側に対応する保持部７２Ａと、コイル３（巻回部１３）の巻き終わり側に対応する保持部７２Ｂとを含む。コイル３の両端は、保持部７２に巻き付けられて保持されている。
【００２１】
突起部２ｐは、図６（Ａ）及び図１０（Ａ）に示すように、下側板ばね２６Ａに対応する２つの突起部２ｐと、下側板ばね２６Ｂに対応する２つの突起部２ｐとを含む。突起部２ｐには、下側板ばね２６Ａ及び下側板ばね２６Ｂのそれぞれの可動側支持部としての内側部分２６ｉが位置決めされ且つ装着されている。下側板ばね２６Ａ及び下側板ばね２６Ｂのそれぞれの内側部分２６ｉの固定は、内側部分２６ｉに形成された第１貫通部としての四角孔２６ｊ（図１２（Ａ）参照。）に塗布された接着剤ＡＤ（図１２（Ａ）参照。）によって実現される。本実施形態では、接着剤ＡＤは、熱硬化型の接着剤である。但し、接着剤ＡＤは、紫外線硬化型の接着剤であってもよい。突起部２ｐは、下側板ばね２６Ａ及び下側板ばね２６Ｂのそれぞれの内側部分２６ｉに形成された第２貫通部としての丸孔２６ｋ（図１２（Ａ）参照。）に挿通される。なお、第１貫通部は、丸孔又は楕円孔等の四角孔以外の孔であってもよく、切り欠きであってもよい。同様に、第２貫通部は、突起部２ｐの形状に対応するのであれば、四角孔又は楕円孔等の丸孔以外の孔であってもよく、切り欠きであってもよい。
【００２２】
次に、レンズ駆動装置１０１の駆動機構ＭＫについて説明する。駆動機構ＭＫは、図１０（Ｂ）に示すように、コイル３と、ヨーク４と、ヨーク４の四隅のそれぞれと対向するように配置された４つの磁石５とを含む。そして、駆動機構ＭＫは、コイル３に流れる電流と磁石５が発生する磁界とで駆動力（推力）を発生させ、レンズ保持部材２を光軸方向に沿って上下に移動させることができる。
【００２３】
コイル３は、図６（Ｂ）に示すように、レンズ保持部材２の外周に導電性の線材を巻回して形成されている。コイル３は、八角環状に巻かれて形成されたコイル本体部としての巻回部１３と、巻回部１３から延びて保持部７２に巻き付けられる延在部３３とを含む。図６（Ｂ）は、明瞭化のため、巻回部１３に関しては、絶縁部材で表面を被覆された導電性の線材の詳細な巻回状態の図示を省略している。巻回部１３を図示する他の図についても同様である。
【００２４】
延在部３３は、コイル３（巻回部１３）の巻き始め側で巻回部１３の内周側に位置する巻回部１３の端部（巻き始め部分）に繋がっている延在部３３Ａと、コイル３（巻回部１３）の巻き終わり側で巻回部１３の外周側に位置する巻回部１３の端部（巻き終わり部分）に繋がっている延在部３３Ｂとを含む。
【００２５】
具体的には、延在部３３Ａは、図９（Ａ）に示すように、保持部７２Ａに巻き付けられる巻き付け部３３ｍと、切欠部５２ｋに挿通されてフランジ部５２の撮像素子側（Ｚ２側）から被写体側（Ｚ１側）に延びる挿通部３３ｋとを含む。延在部３３Ｂは、図９（Ｂ）に示すように、保持部７２Ｂに巻き付けられる巻き付け部３３ｍと、切欠部５２ｋに挿通されてフランジ部５２の撮像素子側（Ｚ２側）から被写体側（Ｚ１側）に延びる挿通部３３ｋとを含む。
【００２６】
本実施形態では、延在部３３Ａは、コイル３の線材がレンズ保持部材２（コイル支持部１２ｊ）の外周に巻き付けられる前に、すなわち、巻回部１３が形成される前に、レンズ保持部材２の保持部７２Ａに巻き付けられる。図９（Ａ）に示す例では、コイル３の線材の一部である延在部３３Ａが保持部７２Ａに３ターン巻き付けられている。これにより、巻き付け部３３ｍが保持部７２Ａに形成され、延在部３３Ａの一部が保持部７２Ａに保持される。但し、延在部３３Ａは、コイル３の線材がレンズ保持部材２の外周に巻き付けられた後で、すなわち、巻回部１３が形成された後で、保持部７２Ａに巻き付けられてもよい。
【００２７】
次に、レンズ保持部材２の外周に線材が巻き付けられる。その際には、図９（Ａ）に示すように、巻き付け部３３ｍから延びる線材は、フランジ部５２の底面と対向するように延び、且つ、フランジ部５２の下側から切欠部５２ｋを通ってフランジ部５２の上側に延びる。このとき、切欠部５２ｋを通る部分が延在部３３Ａの挿通部３３ｋを構成する。
【００２８】
レンズ保持部材２の外周に巻回されたコイル３の巻回部１３は、図５（Ｂ）に示すように、レンズ保持部材２の周囲を囲む位置に配置されている。また、巻回部１３は、コイル支持部１２ｊ（図５（Ａ）参照。）により内側から支持された状態で、庇部１２ｈとフランジ部５２に挟まれるようにして、フランジ部５２の被写体側に固定されている。また、巻回部１３の内周面がコイル支持部１２ｊにより等方的にバランス良く支持されるため、巻回部１３は、コイル３の中心軸とレンズ保持部材２の中心軸とが一致した状態で、レンズ保持部材２に保持される。したがって、レンズ駆動装置１０１は、レンズ保持部材２に保持されたレンズ体の光軸ＪＤが、レンズ保持部材２及びコイル３のそれぞれの中心軸と容易に一致するように構成されている。
【００２９】
レンズ保持部材２の外周への線材の巻き付けが終了すると、巻回部１３の巻き終わり側の端部に繋がる延在部３３Ｂは、図９（Ｂ）に示すように、フランジ部５２の被写体側から切欠部５２ｋを介してフランジ部５２の撮像素子側に引き出される。具体的には、挿通部３３ｋが切欠部５２ｋを通過し、巻き付け部３３ｍがレンズ保持部材２の保持部７２Ｂに巻き付けられる。図９（Ｂ）に示す例では、延在部３３Ｂは、保持部７２Ｂに３ターン巻き付けられている。
【００３０】
次に、駆動機構ＭＫを構成するヨーク４について説明する。本実施形態では、ヨーク４は、鉄等の軟磁性体材料で形成された板材に抜き加工及び絞り加工を施して作製されている。具体的には、ヨーク４は、図１に示すように、収納部４ｓを定める箱状の外形を有する。そして、ヨーク４は、矩形筒状の外壁部４Ａと、外壁部４Ａの上端（Ｚ１側の端）と連続するように設けられた平板環状の上面部４Ｂと、上面部４Ｂの内周縁から光軸方向に沿って下方（Ｚ２方向）に延びる４つの内壁部４Ｆと、を有する。このように構成されたヨーク４は、図１０（Ｂ）に示すように、コイル３及び磁石５を外壁部４Ａと内壁部４Ｆとの間に挟むようにして収納部４ｓ内に収容し、且つ、図２（Ａ）に示すように、ベース部材１８に結合されてベース部材１８とともに筐体を構成する。但し、ヨーク４は、オーステナイト系ステンレス鋼等の非磁性体で形成されたカバーで置き換えられてもよい。この場合、４つの内壁部４Ｆは省略されてもよい。
【００３１】
次に、駆動機構ＭＫを構成する磁石５について説明する。磁石５は、図１に示すように底面が台形である四角柱形状を有する。そして、４つの磁石５は、図１０（Ｂ）に示すように、コイル３の外側に位置するとともに、ヨーク４を構成する矩形筒状の外壁部４Ａの四隅のそれぞれに対向するように配置されている。そして、磁石５は、接着剤により、ヨーク４に固定されている。また、磁石５は、例えば、内側（光軸ＪＤと対向する側）がＮ極、外側がＳ極となるように配置されている。
【００３２】
次に、板ばね６及び固定側部材ＲＧについて説明する。図１１は、板ばね６を説明する図である。図１１（Ａ）は、上側板ばね１６の上面図であり、図１１（Ｂ）は、下側板ばね２６の上面図である。図１２は、下側板ばね２６Ａとコイル３（延在部３３Ａ）との接続構造の一例を説明する図である。具体的には、図１２（Ａ）は、図１０（Ａ）に示す部分Ｔの拡大図であり、図１２（Ｂ）は、図１０（Ａ）に示す部分ＴをＸ２側から見たときの下側板ばね２６Ａ、コイル３及びレンズ保持部材２の拡大図である。なお、図１２（Ａ）及び図１２（Ｂ）では、説明を分かり易くするため、コイル３と下側板ばね２６Ａとを接合する半田ＳＤがクロスハッチングで示され、レンズ保持部材２とコイル３とを接着固定する接着剤ＡＤがドットハッチングで示されている。図１３は、固定側部材ＲＧとしてのベース部材１８を説明する図である。具体的には、図１３（Ａ）は、金属部材７が埋め込まれたベース部材１８の上方斜視図であり、図１３（Ｂ）は、下側板ばね２６Ａ及び下側板ばね２６Ｂが組み付けられた状態のベース部材１８の上方斜視図である。
【００３３】
板ばね６は、銅合金を主な材料とした金属板から作製されている。板ばね６は、図１に示すように、レンズ保持部材２とヨーク４（スペーサ１）との間に配置される上側板ばね１６と、レンズ保持部材２とベース部材１８との間に配置される下側板ばね２６とを含む。レンズ保持部材２と板ばね６（上側板ばね１６、下側板ばね２６Ａ及び下側板ばね２６Ｂ）のそれぞれとが係合された状態で、板ばね６は、レンズ保持部材２が光軸方向（Ｚ軸方向）へ移動可能となるように、レンズ保持部材２を空中で支持している。下側板ばね２６は、コイル３に電流を供給するための給電部材としても機能する。そのため、下側板ばね２６Ａはコイル３の一端に電気的に接続され、下側板ばね２６Ｂはコイル３の他端に電気的に接続されている。上側板ばね１６とヨーク４との間にはスペーサ１が配置されている。スペーサ１は、レンズ保持部材２がＺ１方向に移動したときにレンズ保持部材２とヨーク４とが衝突するのを防止できるように配置されている。但し、スペーサ１は省略されてもよい。
【００３４】
上側板ばね１６は、図１１（Ａ）に示すように、略矩形状の外形を有し、レンズ保持部材２に固定される可動側支持部としての内側部分１６ｉと、固定側部材ＲＧに固定される固定側支持部としての外側部分１６ｅと、内側部分１６ｉと外側部分１６ｅとの間に位置する４つの弾性腕部１６ｇとを含む。具体的には、内側部分１６ｉは、光軸ＪＤを挟んで対向するように２つ設けられている。外側部分１６ｅは、４つの角部分１６ｂと、４つの角部分１６ｂのうちの隣り合う２つを繋ぐ４つの桟部１６ｒとを有している。角部分１６ｂは、図４（Ａ）及び図４（Ｂ）に示すように、スペーサ１と磁石５とで挟持されて接着剤で固定される。そのため、スペーサ１、ヨーク４及び磁石５は、固定側部材ＲＧとして機能する。
【００３５】
上側板ばね１６がレンズ駆動装置１０１に組み込まれた際には、図４（Ａ）に示すように、内側部分１６ｉは、レンズ保持部材２の台座部１２ｄ（図５（Ａ）参照。）に載置される。そして、内側部分１６ｉと台座部１２ｄとが接着剤ＡＤ（図４（Ａ）参照。）で固定され、内側部分１６ｉはレンズ保持部材２に固定される。外側部分１６ｅは、図４（Ｂ）に示すように、角部分１６ｂのところで磁石５の上面（Ｚ１側の面）に接し、スペーサ１（図４（Ｂ）では図示せず。）と磁石５との間に挟持されて接着剤で固定される。
【００３６】
上側板ばね１６は、図１１（Ａ）に示すように、略左右対称に形成されている。そして、内側部分１６ｉでレンズ保持部材２に固定され、外側部分１６ｅでスペーサ１を介してヨーク４に固定されている。そのため、上側板ばね１６は、レンズ保持部材２をバランス良く空中で支持できる。
【００３７】
下側板ばね２６Ａ及び下側板ばね２６Ｂは、図１１（Ｂ）に示すように、それぞれの内側（光軸ＪＤに対向する側）の形状が略半円形状となるように構成されている。そして、下側板ばね２６Ａ及び下側板ばね２６Ｂのそれぞれは、レンズ保持部材２に固定される可動側支持部としての内側部分２６ｉと、固定側部材ＲＧ（ベース部材１８）に固定される固定側支持部としての外側部分２６ｅと、内側部分２６ｉと外側部分２６ｅとの間に位置する２つの弾性腕部２６ｇとを含む。
【００３８】
下側板ばね２６Ａ及び下側板ばね２６Ｂのそれぞれの内側部分２６ｉは、図１１（Ｂ）に示すように、レンズ保持部材２と係合される２つの接続板部２６ｈを含む。
【００３９】
具体的には、下側板ばね２６Ａの内側部分２６ｉは、第１接続板部２６ｈ１及び第２接続板部２６ｈ２を含む。下側板ばね２６Ｂの内側部分２６ｉは、第３接続板部２６ｈ３及び第４接続板部２６ｈ４を含む。
【００４０】
下側板ばね２６がレンズ駆動装置１０１に組み込まれる際には、図６（Ａ）に示すレンズ保持部材２の４つの突起部２ｐのそれぞれは、図１１（Ｂ）に示す下側板ばね２６の内側部分２６ｉの接続板部２６ｈに設けられた第２貫通部としての丸孔２６ｋに挿通されて嵌合される。そして、下側板ばね２６は、接続板部２６ｈに設けられた第１貫通部としての四角孔２６ｊのところに塗布された接着剤ＡＤによってレンズ保持部材２に接着固定される。
【００４１】
具体的には、突起部２ｐは、図７（Ｂ）に示すように、第１突起部２ｐ１〜第４突起部２ｐ４を含み、丸孔２６ｋは、図１１（Ｂ）に示すように、第１丸孔２６ｋ１〜第４丸孔２６ｋ４を含む。そして、第１突起部２ｐ１は、図１２（Ａ）に示すように、下側板ばね２６Ａの内側部分２６ｉの第１接続板部２６ｈ１に設けられた第１丸孔２６ｋ１に挿通される。そして、図１２（Ａ）では図示されていないが、第２突起部２ｐ２は、下側板ばね２６Ａの内側部分２６ｉの第２接続板部２６ｈ２に設けられた第２丸孔２６ｋ２に挿通され、第３突起部２ｐ３は、下側板ばね２６Ｂの内側部分２６ｉの第３接続板部２６ｈ３に設けられた第３丸孔２６ｋ３に挿通され、第４突起部２ｐ４は、下側板ばね２６Ｂの内側部分２６ｉの第４接続板部２６ｈ４に設けられた第４丸孔２６ｋ４に挿通される。
【００４２】
四角孔２６ｊは、図１１（Ｂ）に示すように、第１四角孔２６ｊ１〜第４四角孔２６ｊ４を含む。そして、四角孔２６ｊは、下側板ばね２６がレンズ保持部材２に組み付けられたときにレンズ保持部材２の底面（Ｚ２側の面）の一部が四角孔２６ｊを介して露出するように構成されている。その上で、下側板ばね２６Ａは、第１四角孔２６ｊ１のところに塗布された接着剤ＡＤ（図１２（Ａ）参照。）と、第２四角孔２６ｊ２のところに塗布された接着剤ＡＤ（図示せず。）とによってレンズ保持部材２に接着固定される。同様に、下側板ばね２６Ｂは、第３四角孔２６ｊ３のところに塗布された接着剤ＡＤ（図示せず。）と、第４四角孔２６ｊ４のところに塗布された接着剤ＡＤ（図示せず。）とによってレンズ保持部材２に接着固定される。このようにして、下側板ばね２６Ａ及び下側板ばね２６Ｂのそれぞれの内側部分２６ｉは、レンズ保持部材２に位置決めされ且つ固定される。
【００４３】
次に、コイル３（延在部３３）と下側板ばね２６との接続構造について説明する。以下では、主に下側板ばね２６Ａとレンズ保持部材２及びコイル３との関係を説明する。但し、下側板ばね２６Ａに関する説明は、下側板ばね２６Ｂにも同様に適用される。
【００４４】
下側板ばね２６Ａの内側部分２６ｉの接続板部２６ｈは、図１２（Ａ）及び図１２（Ｂ）に示すように、レンズ駆動装置１０１が組み立てられた際には、レンズ保持部材２の底面（Ｚ２側の面）と対向する。具体的には、接続板部２６ｈは、レンズ保持部材２の底面からＺ２方向に隆起する隆起部２ｒの端面（Ｚ２側の面）と接触するように、接続板部２６ｈのＺ１側の表面が隆起部２ｒの端面に重ねられて配置されている。そして、コイル３の延在部３３Ａの挿通部３３ｋは、図１２（Ｂ）に示すように、下側板ばね２６Ａの内側部分２６ｉの被写体側の面とレンズ保持部材２のフランジ部５２の撮像素子側（Ｚ２側）の面との間を通って延びる。
【００４５】
下側板ばね２６Ａがレンズ保持部材２に組み付けられた際には、図１２（Ｂ）に示すように、保持部７２Ａは、その先端が下側板ばね２６Ａの内側部分２６ｉよりも撮像素子側（Ｚ２側）に位置するように、内側部分２６ｉよりも下方（Ｚ２方向）に突出している。また、巻き付け部３３ｍは、その一部が内側部分２６ｉよりも撮像素子側（Ｚ２側）に位置するように保持部７２Ａに巻き付けられている。
【００４６】
下側板ばね２６Ａとコイル３の延在部３３Ａは、半田ＳＤで電気的且つ機械的に接続されている。具体的には、第１四角孔２６ｊ１（図１２（Ａ）参照。）及び第２四角孔２６ｊ２（図１２（Ａ）では不可視。）のところに塗布された接着剤ＡＤによって下側板ばね２６Ａがレンズ保持部材２（隆起部２ｒ）に接着固定された後、第１接続板部２６ｈ１における半田付け部２６ｓ（図１１（Ｂ）参照。）の撮像素子側（Ｚ２側）の面に、延在部３３Ａの巻き付け部３３ｍと接触するように半田ペーストが塗布される。図１１（Ｂ）は、半田ペーストが塗布される部分である半田付け部２６ｓをドットハッチングで示している。そして、レーザビームで半田ペーストが加熱溶融され、下側板ばね２６Ａと延在部３３Ａとが半田ＳＤで接合される。半田ペーストの塗布から半田ＳＤによる接合までは、保持部７２が鉛直上方に突出するようにレンズ保持部材２が逆さまにされた状態で一連の作業が行われる。そのため、レーザビームによって溶融された半田ペーストは、流動性を有する場合であっても、所望の位置（第１接続板部２６ｈ１の上）に適切に保持され得る。
【００４７】
下側板ばね２６Ａの外側部分２６ｅは、図１１（Ｂ）に示すように、ベース部材１８と係合される２つの外側接合部分２６ｄと、２つの外側接合部分２６ｄを繋ぐ連結部２６ｑとを含む。下側板ばね２６Ａの外側接合部分２６ｄに設けられた貫通孔ＴＨは、ベース部材１８の上面に設けられた突設部１８ｔ（図１３（Ａ）参照。）と嵌合する。このようにして、下側板ばね２６Ａの外側部分２６ｅは、ベース部材１８に位置決めされ且つ固定される。
【００４８】
下側板ばね２６Ａ及び下側板ばね２６Ｂは、図１１（Ｂ）に示すように、略左右対称に形成されている。そして、下側板ばね２６Ａは、２つの接続板部２６ｈ（第１接続板部２６ｈ１及び第２接続板部２６ｈ２）でレンズ保持部材２に接続され、２つの外側接合部分２６ｄでベース部材１８に接続されている。下側板ばね２６Ｂについても同様である。この構成により、下側板ばね２６Ａ及び下側板ばね２６Ｂは、レンズ保持部材２を光軸方向へ移動可能な状態でバランス良く空中で支持することができる。
【００４９】
次に、固定側部材ＲＧについて説明する。固定側部材ＲＧは、上側板ばね１６を固定するスペーサ１、ヨーク４及び磁石５と、下側板ばね２６Ａ及び下側板ばね２６Ｂのそれぞれを固定する支持部材としてのベース部材１８とを含む。
【００５０】
ベース部材１８は、液晶ポリマー等の合成樹脂を射出して成形することによって作製される。本実施形態では、ベース部材１８は、図１３（Ａ）に示すように、矩形板状の外形を有する部材であり、中央に円形の開口１８ｋが形成されている。また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた貫通孔ＴＨ（図１１（Ｂ）参照。）に挿通され且つ嵌合される。この際、突設部１８ｔは熱かしめが施されて外側接合部分２６ｄに固定される。図１３（Ａ）及び図１３（Ｂ）では、突設部１８ｔは、熱かしめされた後の先端が変形した状態で図示されている。突設部１８ｔは冷間かしめが施されて外側接合部分２６ｄに固定されてもよい。
【００５１】
ベース部材１８には、図１３（Ａ）に示すように、銅若しくは鉄又はそれらを主成分とする合金等の材料を含む金属板から形成された金属部材７がインサート成形されて埋め込まれている。金属部材７は、金属部材７Ａ及び金属部材７Ｂを含み、金属部材７Ａ及び金属部材７Ｂのそれぞれは、一部７Ｅがベース部材１８の上面（Ｚ１側の面）に露出している。そして、互いに電気的に絶縁されている金属部材７Ａ及び金属部材７Ｂのそれぞれは、撮像素子を実装した基板（図示せず。）に電気的に接続されている。また、金属部材７Ａは下側板ばね２６Ａに電気的に接続され、金属部材７Ｂは下側板ばね２６Ｂに電気的に接続されている。更に、下側板ばね２６Ａはコイル３の一端に電気的に接続され、下側板ばね２６Ｂはコイル３の他端に電気的に接続されている。そのため、コイル３は、金属部材７と下側板ばね２６とを介して電流の供給を受けることができる。
【００５２】
ベース部材１８には、金属部材７と同様に、銅若しくは鉄又はそれらを主成分とする合金等の材料を含む金属板から形成された接続部材５７もインサート成形されて埋め込まれている。接続部材５７は、図２（Ａ）に示すように、ヨーク４の四隅の下端部に対応するところで、ベース部材１８から一部を露出させている。ベース部材１８は、ヨーク４の外壁部４Ａの内面とベース部材１８の外周側面とが組み合わさって位置決めされた後で、接続部材５７とヨーク４の四隅の下端部とが溶接されてヨーク４に固定される。ヨーク４とベース部材１８とは少なくとも部分的に接着剤で固定されてもよい。
【００５３】
次に、図１４（Ａ）及び図１４（Ｂ）を参照し、レンズ保持部材２のＺ２側の面（下面）からＺ２方向（下方）に突出する突起部２ｐによる効果について説明する。図１４（Ａ）は、突起部２ｐの１つである第１突起部２ｐ１を備えたレンズ保持部材２と第１丸孔２６ｋ１を備えた下側板ばね２６Ａとの接続構造を示している。なお、図１４（Ａ）は、図１２（Ａ）に対応している。図１４（Ｂ）は、第１突起部２ｐ１を備えていないレンズ保持部材２ｘと第１丸孔２６ｋ１を備えていない下側板ばね２６Ａｘとの接続構造を比較例として示している。
【００５４】
具体的には、下側板ばね２６Ａは、図１４（Ａ）に示すように、レンズ保持部材２に組み付けられたときに保持部７２Ａと第１四角孔２６ｊ１との間に位置する部分に、第１突起部２ｐ１を通すための第１丸孔２６ｋ１を有する。そして、第１丸孔２６ｋ１は、第１接続板部２６ｈ１のＸ１側の縁部から第１距離（幅Ｄ１）のところで、且つ、第１接続板部２６ｈ１のＸ２側の縁部から第２距離（幅Ｄ２（＜幅Ｄ１））のところに形成されている。すなわち、第１接続板部２６ｈ１は、第１接続板部２６ｈ１のＸ１側の縁部と第１突起部２ｐ１との間に幅Ｄ１の幅広部分を有し、第１接続板部２６ｈ１のＸ２側の縁部と第１突起部２ｐ１との間に幅Ｄ２の幅狭部分を有している。また、下側板ばね２６Ａは、レンズ保持部材２に組み付けられたときに保持部７２Ａと第１突起部２ｐ１との間に位置する部分に、一点鎖線で囲まれた部分である半田付け部２６ｓを有する。
【００５５】
この構成では、第１四角孔２６ｊ１のところに塗布された接着剤ＡＤは、第１接続板部２６ｈ１のＺ２側の表面上で任意の方向に広がろうとするが、半田付け部２６ｓの方向（Ｙ２方向）への広がりは第１突起部２ｐ１によって妨げられる。そのため、第１突起部２ｐ１は、接着剤ＡＤが半田付け部２６ｓに達するのを困難にしている。
【００５６】
また、第１突起部２ｐ１は、第１接続板部２６ｈ１のＸ１側の縁部よりもＸ２側の縁部に近い位置に形成されているため、幅狭部分を通って接着剤ＡＤがＹ２方向に広がる動きに比べ、幅広部分を通って接着剤ＡＤがＹ２方向に広がる動きを容易にしている。幅広部分の幅Ｄ１が幅狭部分の幅Ｄ２よりも広いためである。このように、第１突起部２ｐ１は、接着剤ＡＤが幅広部分のほうに広がり易くすることで、接着剤ＡＤが幅狭部分のほうに広がってしまうのを抑制でき、ひいては、接着剤ＡＤが半田付け部２６ｓに達するのを抑制できる。
【００５７】
一方、第１突起部２ｐ１を備えていないレンズ保持部材２ｘと第１丸孔２６ｋ１を備えていない下側板ばね２６Ａｘとの接続構造では、図１４（Ｂ）に示すように、第１四角孔２６ｊ１のところに塗布された接着剤ＡＤは、半田付け部２６ｓの方向（Ｙ２方向）へ広がって半田付け部２６ｓに付着してしまう。接着剤ＡＤの半田付け部２６ｓへの広がりを妨げる部材が存在しないためである。そのため、その後に延在部３３Ａの巻き付け部３３ｍと第１接続板部２６ｈ１ｘとの間で半田付けが行われると、半田ＳＤの一部は、接着剤ＡＤの一部を覆うように配置されてしまう。この配置は、半田付けによる延在部３３Ａと第１接続板部２６ｈ１ｘとの接合の信頼性を損なう結果をもたらす。
【００５８】
上述の２つの接続構造の比較から分かるように、第１突起部２ｐ１は、半田付け部２６ｓに塗布された半田ペーストによる半田付けが行われる前に、第１四角孔２６ｊ１のところに塗布された接着剤ＡＤが半田付け部２６ｓまで広がって半田付け部２６ｓに付着してしまうのを抑制できる。そのため、第１突起部２ｐ１は、下側板ばね２６Ａと延在部３３Ａとの間の半田付けが不十分となってしまうのを防止できる。
【００５９】
結果として、第１突起部２ｐ１を備えたレンズ駆動装置１０１は、接着剤ＡＤの半田付け部２６ｓへの付着を抑制しながらも、半田ＳＤによる接合が行われる部分である半田付け部２６ｓと接着剤ＡＤによる接着固定が行われる部分である第１四角孔２６ｊ１との近接配置を可能にしている。そのため、第１突起部２ｐ１を備えたレンズ駆動装置１０１は、レンズ駆動装置１０１が落下等による衝撃を受けた際に下側板ばね２６Ａが弾性変形した場合であっても、その弾性変形が半田付けによる接合部分に与える影響を小さく抑えることができる。半田付けによる延在部３３Ａと第１接続板部２６ｈ１との接合が、接着剤ＡＤによるレンズ保持部材２と第１接続板部２６ｈ１との接着固定部分に近いところで実現されているためである。
【００６０】
また、この構成は、かしめによる固定を利用することなくレンズ保持部材２と下側板ばね２６Ａとを接合できるため、かしめによる樹脂屑の発生を防止でき、更には、接着剤ＡＤを効果的に利用できることで接合の信頼性を高めることができる。
【００６１】
次に、図１５を参照し、下側板ばね２６とコイル３（延在部３３Ａ）との接続構造の別の一例について説明する。図１５は、突起部２ｐを備えたレンズ保持部材２Ｍと丸孔２６ｋを備えた下側板ばね２６Ｍとの接続構造を示している。なお、図１５は、図１４（Ａ）に対応している。
【００６２】
図１５のレンズ保持部材２Ｍは、主に、光軸方向に垂直な方向に突出する保持部７２Ｍを有する点で、光軸方向に突出する保持部７２Ａを有する図１４（Ａ）のレンズ保持部材２と異なる。また、図１５の下側板ばね２６Ｍは、主に、台形の四角孔２６Ｍｊを有する点で、長方形の第１四角孔２６ｊ１を有する図１４（Ａ）の下側板ばね２６Ａと異なる。
【００６３】
図１５に示す構成においても、四角孔２６Ｍｊのところに塗布された接着剤ＡＤは、接続板部２６ｈのＺ２側の表面上で任意の方向に広がろうとするが、半田付け部２６ｓの方向（Ｙ２方向）への広がりは突起部２ｐによって妨げられる。そのため、突起部２ｐは、接着剤ＡＤが半田付け部２６ｓに達するのを困難にしている。
【００６４】
また、突起部２ｐは、接続板部２６ｈのＸ１側の縁部よりもＸ２側の縁部に近い位置に形成されているため、幅Ｄ２の幅狭部分を通って接着剤ＡＤがＹ２方向に広がるのに比べ、幅Ｄ１（＞幅Ｄ２）の幅広部分を通って接着剤ＡＤがＹ２方向に広がるのを容易にしている。このように、突起部２ｐは、接着剤ＡＤが幅広部分のほうに広がり易くすることで、接着剤ＡＤが幅狭部分のほうに広がってしまうのを抑制でき、ひいては、接着剤ＡＤが半田付け部２６ｓに達するのを抑制できる。
【００６５】
上述の構成により、突起部２ｐは、半田付け部２６ｓに塗布された半田ペーストによる半田付けが行われる前に、四角孔２６Ｍｊのところに塗布された接着剤ＡＤが半田付け部２６ｓまで広がって半田付け部２６ｓに付着してしまうのを抑制できる。そのため、突起部２ｐは、下側板ばね２６Ｍと延在部３３Ａ（巻き付け部３３ｍ）との間の半田付けが不十分となってしまうのを防止できる。
【００６６】
結果として、突起部２ｐを備えたレンズ駆動装置１０１は、接着剤ＡＤの半田付け部２６ｓへの付着を抑制しながらも、半田ＳＤによる接合が行われる部分である半田付け部２６ｓと接着剤ＡＤによる接着固定が行われる部分である四角孔２６Ｍｊとの近接配置を可能にしている。そのため、突起部２ｐを備えたレンズ駆動装置１０１は、レンズ駆動装置１０１が落下等による衝撃を受けた際に下側板ばね２６Ｍが弾性変形した場合であっても、その弾性変形が半田付けによる接合部分に与える影響を小さく抑えることができる。半田付けによる延在部３３Ａと接続板部２６ｈとの接合が、接着剤ＡＤによるレンズ保持部材２Ｍと接続板部２６ｈとの接着固定部分に近いところで実現されるためである。
【００６７】
また、この構成は、かしめによる固定を利用することなくレンズ保持部材２Ｍと下側板ばね２６Ｍとを接合できるため、かしめによる樹脂屑の発生を防止でき、更には、接着剤ＡＤを効果的に利用できることで接合の信頼性を高めることができる。
【００６８】
上述の通り、本実施形態に係るレンズ駆動装置１０１は、支持部材としてのベース部材１８と、レンズ体を保持可能なレンズ保持部材２と、レンズ保持部材２に保持されたコイル３と、コイル３に対向する磁石５と、ベース部材１８とレンズ保持部材２とを繋ぐように配置され、レンズ保持部材２を光軸方向へ移動可能に支持する下側板ばね２６と、を備えている。コイル３は、レンズ保持部材２の外側に配置されるコイル本体部としての巻回部１３と、巻回部１３に繋がる延在部３３とを有する。下側板ばね２６のうちの１つである下側板ばね２６Ａは、図１１（Ｂ）に示すように、レンズ保持部材２に固定される可動側支持部としての内側部分２６ｉと、ベース部材１８に固定される固定側支持部としての外側部分２６ｅと、内側部分２６ｉと外側部分２６ｅとの間に設けられた弾性腕部２６ｇとを有する。
【００６９】
そして、レンズ保持部材２の一端部には、図１４（Ａ）に示すように、突出部としての保持部７２Ａが設けられている。コイル３の延在部３３Ａの一部は、保持部７２Ａに巻かれて巻き付け部３３ｍを構成している。巻き付け部３３ｍと内側部分２６ｉとは半田付けされる。下側板ばね２６Ａの内側部分２６ｉには、第１貫通部としての第１四角孔２６ｊ１と、第２貫通部としての第１丸孔２６ｋ１とが形成されている。第１丸孔２６ｋ１は、内側部分２６ｉの半田付け部２６ｓと第１四角孔２６ｊ１との間に配置されている。レンズ保持部材２には、第１丸孔２６ｋ１に挿通される第１突起部２ｐ１が形成されている。そして、第１四角孔２６ｊ１と第１四角孔２６ｊ１から露出するレンズ保持部材２とに塗布された接着剤ＡＤによって、下側板ばね２６Ａの内側部分２６ｉとレンズ保持部材２とが固定されている。
【００７０】
この構成により、レンズ駆動装置１０１は、レンズ保持部材２と下側板ばね２６とを接着固定する接着剤ＡＤと、コイル３と下側板ばね２６とを接合する半田ＳＤ等の接合材との接触を抑制できる。但し、コイル３の巻き付け部３３ｍと下側板ばね２６の内側部分２６ｉとの半田付けが不十分とならない範囲内において、接着剤ＡＤと半田ＳＤとは部分的に接触していてもよい。
【００７１】
第１貫通部は、望ましくは、非円形状の孔である。非円形状の孔は、接続板部２６ｈの形状に応じた形状をとることができ、円形状の孔に比べて開口面積を大きくすることができるためである。但し、第１貫通部は、円形の孔であってもよい。
【００７２】
第１貫通部は、より望ましくは、第１四角孔２６ｊ１のような略四角形状の孔である。略四角形状の孔は、上述のように、円形状の孔に比べて開口面積を大きくすることができるためである。また、略四角形状の孔は、複雑な形状の孔に比べ、作成が容易なためである。略四角形状の孔は、図１５に示すような台形の孔であってもよい。
【００７３】
接着剤ＡＤは、望ましくは、第２貫通部としての丸孔２６ｋと突起部２ｐとに付着するように塗布される。このように塗布され且つ硬化された接着剤ＡＤは、レンズ保持部材２と下側板ばね２６Ａ（接続板部２６ｈ）との接合の信頼性を高めることができる。
【００７４】
下側板ばね２６Ａにおける可動側支持部としての内側部分２６ｉは、望ましくは、図１４（Ａ）に示すように、第１貫通部としての第１四角孔２６ｊ１と、第２貫通部としての第１丸孔２６ｋ１と、半田付け部２６ｓとが設けられた第１接続板部２６ｈ１を有する。そして、第１接続板部２６ｈ１は、半田付け部２６ｓに近い側の縁部と第１丸孔２６ｋ１との間にある幅狭部分の幅寸法（幅Ｄ２）が、半田付け部２６ｓから遠い側の縁部と第１丸孔２６ｋ１との間にある幅広部分の幅寸法（幅Ｄ１）よりも小さくなるように構成されている。この構成により、第１接続板部２６ｈ１は、接着剤ＡＤが半田付け部２６ｓに流れ込むのを抑制できる。
【００７５】
本発明の実施形態に係るレンズ駆動装置１０１の製造方法は、図１４（Ａ）に示すように、第１貫通部としての第１四角孔２６ｊ１からレンズ保持部材２の一部が露出するように、且つ、第１突起部２ｐ１が第２貫通部としての第１丸孔２６ｋ１を貫通するように、下側板ばね２６Ａがレンズ保持部材２に重ねられる重ね工程と、第１四角孔２６ｊ１と第１四角孔２６ｊ１から露出しているレンズ保持部材２とに接着剤ＡＤが塗布され、下側板ばね２６Ａにおける可動側支持部としての内側部分２６ｉとレンズ保持部材２とが接着固定される固定工程と、巻き付け部３３ｍと半田付け部２６ｓとが半田付けされる半田付け工程と、を有する。
【００７６】
この製造方法では、第１突起部２ｐ１によって接着剤ＡＤと半田ＳＤ等の接合材との接触が抑制される。そのため、この製造方法は、半田付けによる延在部３３Ａと第１接続板部２６ｈ１との接合の信頼性を高めることができる。
【００７７】
また、上述の製造方法は、望ましくは、固定工程において、第２貫通部としての第１丸孔２６ｋ１と第１突起部２ｐ１とに接着剤ＡＤを付着させる工程を含む。この工程を有することで、上記製造方法は、下側板ばね２６Ａの内側部分２６ｉとレンズ保持部材２との接着強度を更に高めることができる。
【００７８】
以上、本発明の好ましい実施形態について詳説した。しかしながら、本発明は、上述した実施形態に制限されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【００７９】
例えば、上記実施形態では、保持部７２がレンズ保持部材２（フランジ部５２）の一端部から光軸方向又は光軸方向に垂直な方向に突出する突出部から構成されているが、本発明は、この構成に限定されない。突出部としての保持部７２は、例えば、光軸方向に対して傾斜した方向に突出していてもよい。
【００８０】
また、上記実施形態では、フランジ部５２には、コイル３の延在部３３を通す切欠部５２ｋが２つ設けられているが、コイル３の巻回部１３を保持可能であれば、３つ以上の切欠部が設けられていてもよい。
【００８１】
また、自動焦点調節機能を実現する上記実施形態では、下側板ばね２６Ａと延在部３３Ａとが電気的に接続され、且つ、下側板ばね２６Ｂと延在部３３Ｂとが電気的に接続される構成としたが、本発明は、この構成に限定されない。本発明は、例えば、手振れ補正機能付きのレンズ駆動装置に適用される場合には、上側板ばね１６が２つに分割され、その一方が延在部３３Ａに電気的に接続され、且つ、他方が延在部３３Ｂに電気的に接続される構成を含んでいてもよい。この構成では、上側板ばね１６は、支持部材としての磁石ホルダ（図示せず。）とレンズ保持部材２とを繋ぐように配置され、且つ、レンズ保持部材２を光軸方向へ移動可能に支持するように構成される。磁石ホルダは、レンズ保持部材２に保持されたコイル３に対向する磁石５を保持する部材であり、典型的には、サスペンションワイヤを介してベース部材１８に接続され、サスペンションワイヤにより、光軸方向に垂直な方向に移動可能に支持されている。具体的には、磁石ホルダは、磁石５と、磁石５に対向するようにベース部材１８上に設置された、コイル３とは別のコイルとによって構成される駆動機構によって光軸方向に垂直な方向に移動できるように構成されている。この構成では、レンズ保持部材２の上端部側（Ｚ１側）に切欠部を有するフランジ部が設けられていてもよい。また、突出部としての保持部７２は、上側板ばね１６が配置される側であるレンズ保持部材２の上端部に設けられていてもよい。
【００８２】
上記実施形態では、コイル３は、レンズ保持部材２の外周面側に八角環状に巻かれている。しかしながら、本発明はこの構成に限定されない。コイル３は、レンズ保持部材２の側面に保持される小判形（オーバル形状）のコイルであってもよい。具体的には、コイル３は、レンズ保持部材２の４つの側面のそれぞれに保持される４つの小判形のコイルであってもよく、レンズ保持部材２の４つの側面のうちの対向する２つのそれぞれに保持される２つの小判形のコイルであってもよい。
【００８３】
また、上記実施形態では、ヨーク４とベース部材１８とで構成される筐体は、レンズ保持部材２の全体を収容している。但し、レンズ保持部材２の一部（例えば上部）は、筐体（ヨーク４）から外部に露出していてもよい。
【符号の説明】
【００８４】
１・・・スペーサ  ２、２Ｍ、２ｘ・・・レンズ保持部材  ２ｐ・・・突起部  ２ｐ１・・・第１突起部  ２ｐ２・・・第２突起部  ２ｐ３・・・第３突起部  ２ｐ４・・・第４突起部  ２ｒ・・・隆起部  ３・・・コイル  ４・・・ヨーク  ４Ａ・・・外壁部  ４Ｂ・・・上面部  ４Ｆ・・・内壁部  ４ｓ・・・収納部  ５・・・磁石  ６・・・板ばね  ７、７Ａ、７Ｂ・・・金属部材  １２・・・筒状部  １２ｄ・・・台座部  １２ｄｈ・・・窪み  １２ｈ・・・庇部  １２ｊ・・・コイル支持部  １３・・・巻回部  １６・・・上側板ばね  １６ｂ・・・角部分  １６ｅ・・・外側部分  １６ｇ・・・弾性腕部  １６ｉ・・・内側部分  １６ｒ・・・桟部  １８・・・ベース部材  １８ｋ・・・開口  １８ｔ・・・突設部  ２６、２６Ａ、２６Ａｘ、２６Ｂ、２６Ｍ・・・下側板ばね  ２６ｄ・・・外側接合部分  ２６ｅ・・・外側部分  ２６ｇ・・・弾性腕部  ２６ｈ・・・接続板部  ２６ｈ１、２６ｈ１ｘ・・・第１接続板部  ２６ｈ２・・・第２接続板部  ２６ｈ３・・・第３接続板部  ２６ｈ４・・・第４接続板部  ２６ｉ・・・内側部分  ２６ｊ、２６Ｍｊ・・・四角孔  ２６ｊ１・・・第１四角孔  ２６ｊ２・・・第２四角孔  ２６ｊ３・・・第３四角孔  ２６ｊ４・・・第４四角孔  ２６ｋ・・・丸孔  ２６ｋ１・・・第１丸孔  ２６ｋ２・・・第２丸孔  ２６ｋ３・・・第３丸孔  ２６ｋ４・・・第４丸孔  ２６ｑ・・・連結部  ２６ｓ・・・半田付け部  ３３、３３Ａ、３３Ｂ・・・延在部  ３３ｋ・・・挿通部  ３３ｍ・・・巻き付け部  ５２・・・フランジ部  ５２ｋ・・・切欠部  ５７・・・接続部材  ７２、７２Ａ、７２Ｂ、７２Ｍ・・・保持部  １０１・・・レンズ駆動装置  ＡＤ・・・接着剤  ＪＤ・・・光軸  ＭＫ・・・駆動機構  ＲＧ・・・固定側部材  ＳＤ・・・半田  ＴＨ・・・貫通孔
【図１】
2020154254.tif 000003
【図２】
2020154254.tif 000004
【図３】
2020154254.tif 000005
【図４】
2020154254.tif 000006
【図５】
2020154254.tif 000007
【図６】
2020154254.tif 000008
【図７】
2020154254.tif 000009
【図８】
2020154254.tif 000010
【図９】
2020154254.tif 000011
【図１０】
2020154254.tif 000012
【図１１】
2020154254.tif 000013
【図１２】
2020154254.tif 000014
【図１３】
2020154254.tif 000015
【図１４】
2020154254.tif 000016
【図１５】
2020154254.tif 000017